(57)【要約】上向きに動くセクショナルドアシステムは、垂直な閉位置と水平な開位置との間で移動できるように、それぞれヒンジで連結した複数のドアセクション１６−１８を有するドアＤ、垂直な閉位置にあるドアの上方に取り付けられる駆動チューブ３１、この駆動チューブを選択的、直接的に回転駆動するオペレータ１１、オペレータにより駆動チューブと一緒に回転するように駆動チューブに取り付けたケーブルドラム３５、このケーブルドラムに関して作動的に取り付けられるバネ６０、及びドアが垂直な閉位置と水平な開位置との間を移動するときに、ドアの釣り合せを行えるようにバネとドアとの間を相互に連結し、ケーブルドラムに巻き付けられるカウンタバランスケーブル７５を含む。
2004520510.tif 000002
【特許請求の範囲】
【請求項１】
上向きに動くセクショナルドアで作動するカウンタバランスシステムであって、
駆動チューブ、
前記駆動チューブを選択的、直接的に回転駆動するオペレータ、
前記駆動チューブに非回転的に取り付けられるケーブルドラム、
前記ケーブルドラムに関して作動的に取り付けられる引張コイルバネ、及び
ドアが垂直な閉位置と水平な開位置との間を移動するときに、前記ドアの移動の範囲中に前記ドアの釣り合せを行えるように、前記引張コイルバネと前記ドアとの間を相互に連結し、前記ケーブルドラムに巻き付けられるケーブル、
を含むカウンタバランスシステム。
【請求項２】
前記ケーブルドラムが、複数の螺旋溝を有する外面を有する、ところの請求項１のカウンタバランスシステム。
【請求項３】
前記ケーブルドラムが、第一の径を有する前記溝の外側アレイ、及び第二の径を有する前記溝の内側アレイを有する、ところの請求項２のカウンタバランスシステム。
【請求項４】
前記第一の径が、前記第二の径よりも大きい、ところの請求項２のカウンタバランスシステム。
【請求項５】
前記溝の中間アレイが、前記溝の前記外側アレイと、前記溝の前記内側アレイとの間に位置される、ところの請求項４のカウンタバランスシステム。
【請求項６】
前記溝の前記中間アレイの溝が、異なった径を有する、ところの請求項５のカウンタバランスシステム。
【請求項７】
前記溝の前記中間アレイの前記異なった溝が、前記第一の径から前記第二の径へ実質的に線形的に変化する、ところの請求項６のカウンタバランスシステム。
【請求項８】
前記ケーブルが、前記ケーブルドラムに実質的に１周巻き付けられる、ところの請求項１のカウンタバランスシステム。
【請求項９】
前記ケーブルが、前記ケーブルドラムに１周以上巻き付けられる、ところの請求項１のカウンタバランスシステム。
【請求項１０】
前記ケーブルが、前記ケーブルドラムに実質的に２周巻き付けられる、ところの請求項１のカウンタバランスシステム。
【請求項１１】
上向きに動くセクショナルドアシステムであって、
垂直な閉位置と水平な開位置との間で移動できるように、それぞれヒンジで連結した複数のドアセクションを有するドア、
前記垂直な閉位置にあるドアの上方に取り付けられる駆動チューブ、
前記駆動チューブを選択的、直接的に回転駆動するオペレータ、
前記オペレータにより前記駆動チューブと一緒に回転するように前記駆動チューブに取り付けたケーブルドラム、
前記ケーブルドラムに関して作動的に取り付けられるバネ、及び
前記ドアが前記垂直な閉位置と前記水平な開位置との間を移動するときに、前記ドアの釣り合せを行えるように前記バネと前記ドアとの間を相互に連結され、前記ケーブルドラムに巻き付けられるカウンタバランスケーブル、
を含むセクショナルドアシステム。
【請求項１２】
前記カウンタバランスケーブルが、前記ドアセクションの一つに取り付けられる一端を有し、前記バネの一つに取り付けられる他端を有し、前記ドアの移動中に、前記ケーブルドラムの一つに係合する中間部分を有する、ところの請求項１１のセクショナルドアシステム。
【請求項１３】
前記ケーブルドラムが、前記ケーブルドラムの軸方向に延びる溝を有し、前記ドアの移動中、前記ケーブルが移動する、ところの請求項１２のセクショナルドアシステム。
【請求項１４】
前記溝が、前記ドアの釣り合せの力を変化させるように、異なった谷径を有する、ところの請求項１３のセクショナルドアシステム。
【請求項１５】
前記カウンタバランスケーブルが、ほぼ１周又は１と４分の１周だけ前記ケーブルドラムに巻き付けられる、ところの請求項１１のセクショナルドアシステム。
【請求項１６】
前記カウンタバランスケーブルが、前記ケーブルドラムに複数周巻き付けられる、ところの請求項１１のセクショナルドアシステム。
【請求項１７】
ドアフレーム、
前記ドアフレームに連結されるフラッグアングル材、
前記フラッグアングル材に前記ケーブルドラムを自由に回転できるように取り付けるドラムサポート、及び
前記フラッグアングル材に前記ドラムサポートを位置させたままにするドラム保護ブラケット、
をさらに含む請求項１１のセクショナルドアシステム。
【請求項１８】
セクショナルドアに用いられるカウンタバランスシステムのケーブルドラムであって、
前記カウンタバランスシステムが、ドアとバネとに連結されるカウンタバランスケーブルを係合する当該ケーブルドラムを取り付けるオペレータ駆動チューブを有し、
当該ケーブルドラムが、
当該ケーブルドラムの軸方向の長さにわたってほぼ円筒形の外面、
前記円筒形の外面の複数の螺旋状のケーブルを受ける溝、
第一の径を有する前記ケーブルを受ける溝の軸方向外側のアレイ、
第二の径を有する前記ケーブルを受ける溝の軸方向内側のアレイ、及び
前記第一の径と前記第二の径との中間にあり、異なった径を有する前記ケーブルを受ける溝の遷移アレイ、
を含むケーブルドラム。
【請求項１９】
前記第一の径が、前記第二の径よりも大きい、ところの請求項１８のケーブルドラム。
【請求項２０】
前記ケーブルを受ける溝の前記遷移アレイの前記異なった径が、前記第一の径から前記第二の径へ実質的に線形的に変化する、ところの請求項１８のケーブルドラム。
【発明の詳細な説明】
【０００１】
技術分野
本発明は、セクショナルドア（ｓｅｃｔｉｏｎａｌ ｄｏｏｒ）を上方向に動かすためのカウンタバランスシステムに関するものである。特に、本発明は、垂直な閉位置と水平な開位置との間をドアが移動しているときに、ドアとカウンタバランスシステムとを相互に連結するケーブルの繰出しと巻取りの最中に、ドアにかかる重力にカウンタバランスシステムの力を一致させるケーブル収納ドラムを有する上記のようなカウンタバランスシステムに関するものである。特に、本発明は、オペレータ駆動式のケーブル収納ドラムに関し、このオペレータ駆動式のケーブル収納ドラムは、異なった径の溝を有し、カウンタバランスケーブルが、このドラムの溝に沿って巻き付けられ、ドラムの一方の側でドアに取り付けられ、ドラムの他方の側で引張コイルバネに取り付けられ、これにより、セクショナルドアが垂直な閉位置と水平な開位置との間を移動すると、この引張コイルバネの線形的な力が、セクショナルドアにかかる非線形的な重力に一致される。
【０００２】
背景技術
長年の間、セクショナルドアにカウンタバランスシステムが用いられてきた。セクショナルドアを例示すると、住宅用のガレージドア、商用又は事業用ビルのドア及び同様の応用物として使用されるタイプのものがある。カウンタバランスシステムは、元々、比較的厚い木製又は金属製の構成成分からなる商業的に設置した大型のドアや住宅で使用するガレージドアを機構学的に支援する必要性を解決するものであった。近年、一人で開閉作動を行え、サイズを限定することが好ましい電気モーターの使用を容易にでき、このようなドアの開閉を促進するために、カウンタバランスシステムが、広く使用されるようになってきた。
【０００３】
このようなカウンタバランスシステムの大半は、ガレージドアに取り付けられるケーブルを担持するドラムを使用する。共通的に、ドラムは、ドアの左右端に位置されるドラムとともに、ドアの開口を形成するフレームの上方に取り付けられ、ケーブルは、ガレージドアの下方側の隅の付近に利便的に連結され得る。基本的に、ドアは、ドアがフレームの上方の内側にあるときの実質的に水平な開位置から垂直な閉位置へと移動する際、ドアに作用する重力により、ドアの開口を遮断する閉位置に向けて移動する。開閉中のドアの経路は、共通的に、ドアのそれぞれのセクションに取り付けたローラと相互に作用する軌道の配列によって定義される。ケーブルドラムは、伝統的に、様々なやり方でバネと相互に連結され、ドアが下方へ下げられると、バネに負荷がかかり、ドアの自由落下を防止し、バネに蓄えられたエネルギーを利用して、これに続く開口作動中にドアを上昇させる手助けをする。
【０００４】
長年にわたって産業界で使用されてきたカウンタバランスシステムの一つのタイプは、引張コイルバネを使用する。この引張コイルバネは、伝統的に、開位置にあるドアを支持する水平な軌道又はレールの付近に取り付けられる。引張コイルバネの一端で滑車に取り付けられたカウンタバランスケーブルが、ドアのフレームの付近に位置した単一の滑車を介してドアの底部パネルに向きなおされる。カウンタバランスケーブルから力が引張コイルバネに適用され、引張コイルバネは、長手方向に伸びる。ドアが上下方向に移動していとき、セクショナルドア上に働く力は非線形的な重力であるが、引張コイルバネの伸びによる力は本質的に線形的である。作動中の調節の可能性が全く無く、在来の引張コイルバネシステムの張力は、単に、その作動範囲の小さい部分においてのみ最適であり、開位置にあるときにドアの開口からドアをなくすことと、閉位置にあるときにドアを床上に維持することとの間に妥協がある。その結果、完全な閉位置でもなく完全な開位置でもない位置における利用可能のバネの張力は、最適化できることになる。
【０００５】
閉位置にあるドアの上方に取り付けられるシャフトで作動する捩れバネの場合、一様な径のケーブルドラムを有するか又は一様な径を有するケーブルドラムに形成した溝を有する上記シャフト上のドラムを使用することは、移動するセクショナルドアに働く重力が非線形的であることに反し、シャフト及びドラムを通じて捩れバネによって適用される力が本質的に線形であるという条件を作り出す。したがって、在来の引張コイルバネシステムの場合、完全な開位置と完全な閉位置にバネを介して張力をかけてドアの位置決めを満足させるために、不所望の妥協を打破しなければならない。
【０００６】
このような在来のドアの調節の問題を解決する努力がなされ、近年、螺旋ケーブル収納ドラムが開発された。この螺旋ケーブル収納ドラムは、ケーブルドラム上に第一の２、３個の外側の溝を有し、これら外側の溝は、ドラム表面の残りの部分の内側に続く溝よりも大きい谷径（又はマイナー（ｍｉｎｏｒ）径）（ここで、この谷径は徐々に小さくなる）を有するように設計されている。これにより、ドアが閉まった状態にある間、カウンタバランスケーブルの最後のコイル巻きが、ドラムから取り除かれ、カウンタバランスバネ上に、その張力に対抗するドアの重量から、より大きい力が働く。また、これにより、ドアが開位置にあるときのドアの開口からのドアの変位を助けるように、カウンタバランスバネが、余分な張力で調節される。しかし、ドアが閉位置に接近するときに係合される一段と大きい溝がバネの張力を低減し、これにより、制御できないドアの上昇がなく、ドアを床上に接地し、接地したままにできる。
【０００７】
その一つの範囲にこれらの溝を使用する収納ドラムは、上述した多数の開閉作動条件を達成できる最大のバネの張力を要する。その結果、開閉場所付近の位置の間の作動範囲の大半を通じるセクショナルドアの通常の作動は、ある場所でドアを移動させることが困難となったり、不制御的に移動させることになる。よって、既知のガレージ用のセクショナルドアのカウンタバランスシステムの調節は、本質的に相反する問題の妥協を残している。
【０００８】
発明の開示
したがって、本発明の目的は、引張コイルバネを使用するカウンタバランスシステムを提供することである。このカウンタバランスシステムは、引張コイルバネとドアとを相互に連結するための前方に取り付けた在来の滑車に代わる、駆動チューブに取り付けたケーブルドラムを使用する。本発明のその他の目的は、二つの引張コイルバネからのエネルギーをドアに均等に分布させてドアの移動の制御又は規制を付加した上記のカウンタバランスシステムを提供することである。本発明のその他の目的は、ケーブルドラムを担持する駆動チューブに動力を与えることができるように、オペレータを取り付けた副軸（又はジャックシャフト（ｊａｃｋ ｓｈａｆｔ））又は横梁を取り付けることができる上記のカウンタバランスシステムを提供することである。本発明のその他の目的は、カウンタバランスシステムのバネ又はケーブルが破損したときに、駆動チューブとともに回転可能に連結されたドラムを介して引張コイルバネからドアへ作用する力の分布が、整列していない位置に、ドアを無理に押したり、傾けたりすることを防止し得る上記のカウンタバランスシステムを提供することである。
【０００９】
本発明の他の目的は、垂直な閉位置と水平な開位置との間をドアが移動すると、バネの線形的な力が、セクショナルドアに働く非線形的な重力に一致されるセクショナルドアに用いるカウンタバランスシステムを提供することである。本発明のその他の目的は、閉位置への最終的な移動中、開位置への最終的な移動中及び閉位置と開位置との間の中間又は遷移位置でのドアの性能を最適化するように設計されるようなやり方で、ドラムの溝の谷径がその長さにわたって変化する、上記のカウンタバランスシステムを提供することである。本発明のその他の目的は、ドアが開位置に接近すると、カウンタバランスシステムに対するドアの残りの重量からの力を無効にし、閉じた状態のままにするためにドアが閉位置に接近すると、ドアの重量を最大化し、カウンタバランスシステムに対するドアの重量のバランスを継続的にとることのできる形状のドラムの溝を有する、上記のカウンタバランスシステムを提供することである。
【００１０】
本発明のその他の目的は、ケーブルドラムを担持するオペレータ駆動チューブが、ドラムに１周又はそれ以上の周だけ巻き付けて（ただし、ドラムに収納されない）、バネと、ドアとを相互に連結するケーブルを有する、セクショナルドアに用いるカウンタバランスシステムを提供することである。本発明の他の目的は、ドラム上に巻き付けたケーブルが、ドアの作動中、ドラムに関してスリップしないように、ケーブルの張力が調節される、上記のカウンタバランスシステムを提供することである。本発明の他の目的は、ドアの釣り合せに影響を及ぼすことなく、またドアの全開位置でのドアの開口以外にドアを移動させるように増大されるバネの張力の容量を付随的に大きくすることもなく、ドラムに巻き付けたケーブルのスリップを防止するように、ドラムを介してドアに作用するバネの張力が増大される、上記のカウンタバランスシステムを提供することである。
【００１１】
本発明のその他の目的は、カウンタバランスバネとドアとの間に挿入されるように取り付けた二つのドラムを有し、ドラムが、ドラムの軸方向の長さに沿って異なった位置に異なる谷径を有する溝を有する、カウンタバランスシステムを提供することである。本発明の他の目的は、ドラムの軸方向の長さに沿った溝の三つの別々のアレイが、垂直な閉位置と水平な開位置との間を移動するときのドアの制御を最適化する、上記のカウンタバランスシステムを提供することである。本発明の他の目的は、最小の付加的なコストで作動を向上し、近年の産業の安全性の基準と相容し、異なったサイズと重量の様々なドアに備えられるように設計され、在来の引張コイルバネのカウンタバランスシステムを有する現有のドアに新たな改善を施すことのできる、上記のカウンタバランスシステムを提供することである。
【００１２】
本発明に従った上向きに動くセクショナルドアシステムは、垂直な閉位置と水平な開位置との間で移動できるように、それぞれヒンジで連結した複数のドアセクションを有するドア、垂直な閉位置にあるドアの上方に取り付けられる駆動チューブ、この駆動チューブを選択的、直接的に回転駆動するオペレータ、オペレータにより駆動チューブと一緒に回転するように駆動チューブに取り付けたケーブルドラム、このケーブルドラムに関して作動的に取り付けられるバネ、及びドアが垂直な閉位置と水平な開位置との間を移動するときに、ドアの釣り合せを行えるようにバネとドアとの間を相互に連結され、ケーブルドラムに巻き付けられるカウンタバランスケーブルを有する。
【００１３】
発明を実施するための好適実施例
図１及び２に、本発明の原理に従ったカウンタバランスシステム１０を示す。カウンタバランスシステム１０は、図示のように、セクショナルドアＤとともに取り付けられ、オペレータシステム１１を含み得る。オペレータシステム１１は、副軸オペレータのタイプでよく、特に、住居用のガレージで使用されるものでよい。開口は、フレーム１２によって形成される。ドアＤは、垂直な閉位置と水平な開位置との間を移動している間、この開口に位置される。フレーム１２は、間隔をあけて配置した一対の堅枠１３、１４を含む。これら堅枠１３、１４は、図１によく示されるように、地面又は床面（図示せず）から垂直上向きに平行に伸びる。堅枠１３、１４は、間隔をあけて配置され、これらの垂直方向の上端が横梁１５に連結され、これにより、ドアＤの開口の周囲に、ほぼ逆Ｕ字形のフレーム１２の輪郭が描かれる。フレーム１２は、通常、補強の目的と、オペレータシステム１１や、ドアＤを支持し、制御するための要素の取り付けを容易にするため、木材からなる。ドアＤは、上部セクション１６、低部セクション１７及び一つ又はそれ以上の中間部セクション１８を有し、これらは、当業者には既知のやり方で、水平方向に間隔をあけて配置したヒンジ１９によって相互に連結される。
【００１４】
ドアＤの両側には、フラッグアングル材２０が、横梁１５の両側の堅枠１３、１４の上端付近に固定される。フラッグアングル材２０は、Ｌ字形の垂直部材２１からなる。このＬ字形の垂直部材２１は、ラッグ木ネジ２３などによって堅枠１３、１４に取り付けられる脚２２、及び好適に脚２２に実質的に垂直に配列される張出脚２４（堅枠１３、１４に対して垂直）を有する。フラッグアングル材２０は、張出脚２４から張り出し、ドアＤの両側に配置されるローラ軌道Ｔ、Ｔを支持する水平アングル材２５を有する。軌道Ｔ、Ｔは、当業者には既知のやり方でドアＤの両側に取り付けたローラＲのための案内システムを与える。水平アングル材２５は、通常、堅枠１３、１４と実質的に垂直に張り出し、軌道Ｔ、Ｔの垂直部分と水平部分との間の遷移部分に取り付けられてもよく、また堅枠１３、１４に最も近いところの軌道Ｔ、Ｔの水平部分の開始する個所に取り付けられてもよい。軌道Ｔ、Ｔは、ドアＤがドアＤの垂直な閉位置と水平な開位置との間を移動する際のドアＤの進路を決定するものである。
【００１５】
オペレータシステム１１は、ケーブルドラムメカニズム３０を含むカウンタバランスシステム１０を介してドアＤと相互に関係する。図示のように、ケーブルドラムメカニズム３０は、ドアＤの両側のフラッグアングル材２０、２０の間の距離の実質的な部分にわたる長さの駆動チューブ３１に配置される。所望される場合、駆動チューブ３１は、収納、組立て及び／又は調節を容易にするため、二つ又はそれ以上の入れ子式の部材からなり得る。図示のように、ケーブルドラムメカニズム３０は、駆動チューブ３１の端部に配置され、駆動チューブ３１に関して回転できないように、駆動チューブ３１に固定される。図１によく示されるように、オペレータシステム１１は、当業者には既知のやり方でオペレータ駆動素子（図示せず）と相互に作用する駆動チューブ３１の長さ分を収容するオペレータハウジング３２を有し、垂直な閉位置と水平な開位置との間でドアＤを駆動させるのに要する動力を供給するように、両方の回転方向に駆動チューブ３１を選択的に回転駆動する。駆動チューブ３１は、断面円形でない中空のチューブ部材（図３及び４を参照）のように描かれるが、ケーブルドラムメカニズム３０を回転できる円形の駆動チューブ、中空でないシャフト及び他のタイプの駆動要素を使用することができ、これらは、本明細書では、この用語の範囲内に含まれる。
【００１６】
各ケーブルドラムメカニズム３０は、ほぼ円筒形のケーブルドラム３５を含む。ケーブルドラム３５は、その内側端に、同軸に張り出したドラムスリーブ３６を有し、このドラムスリーブ３６は、駆動チューブ３１を受け入れる。そして、ドラムスリーブ３６の周囲には、複数の補強リブ３７が間隔をあけて設けられる。図２及び４によく示されるように、ドラムスリーブ３６は、駆動チューブ３１と同様に、非円形であり、駆動チューブ３１を入れ子式に受け入れることができるサイズであり、これにより、ケーブルドラム３５は、常に、駆動チューブ３１と一緒に回転する。
【００１７】
図４に最もよく示されるように、ケーブルドラム３５は、放射方向に凹みを有する軸受け表面３９を有する円筒形のドラムサポート３８によって駆動チューブ３１と一緒に回転するように配置される。軸受け表面３９は、フラッグアングル材２０の張出脚２４に設けたノッチ４０内にフィットするようなサイズにある。ドラムサポート３８は、図４に示すドラム保護ブラケット４１によってノッチ４０内に配置されたままとなる。ドラム保護ブラケット４１は、取付脚４２とＵ字形の保持脚４３とを有する。保持脚４３は、組み立てたときに、ドラムサポート３８の端部を覆い、ノッチ４０に部分的に配列され得る。ドラム保護ブラケット４１の保持脚４３は、フラッグアングル材２０の張出脚２４に対してドラム保護ブラケット４１の取付脚４２をボルト４４とナット４５で固定することによってドラムサポート３８上にわたって配置される。よって、ケーブルドラム３５は、図示の配置に組み立てた後に、支持され、保持される。
【００１８】
図２〜４でわかるように、ケーブルドラム３５は、その軸方向の長さの実質的な部分にわたって、円筒形又は先細円筒形の表面５０を有する。ケーブルドラム３５は、図３に最もよく示されるように、谷径５２を有する連続螺旋溝５１を設けた円筒形の表面５０を有する。円筒形の表面５０は、全て実質的に同一の谷径５２を有する複数の螺旋溝５１の外側アレイ５３を有する。図示のように、ケーブルドラム３５の円筒形の表面５０は、また、全て実質的に同一の谷径５２を有する複数の螺旋溝５１の内側アレイ５４を有する。図３からわかるように、内側アレイ５４の螺旋溝５１は、外側アレイ５３の螺旋溝５１の谷径５２よりも小さい谷径を有する。溝５１の中間アレイ５５が、外側アレイ５３と内側アレイ５４との間に挿入される。中間アレイ５５の螺旋溝５１の谷径５２は、外側アレイ５３の螺旋溝５１の谷径５２よりも小さく、内側アレイ５４の螺旋溝５１の谷径５２よりも大きい。図示の本発明の好適実施例では、中間アレイ５５の螺旋溝５１の谷径５２は、外側アレイ５３の螺旋溝５１の谷径５２から内側アレイ５４の螺旋溝５１の谷径５２へと実質的に線形的に変化する。ここで、ケーブルドラム３５の輪郭に他の変形物を使用できる。例えば、ドアセクジョン１６〜１８が、異なった重量を有する場合に、ドアが垂直な閉位置と水平な開位置との間で移動すると、ドアの有効重量が非線形的に変化する。このことから、ケーブルドラム３５は、ケーブルドラム３５の軸方向の長さに沿った螺旋溝５１の径５２がドアＤの位置の関数として重力が作用する垂直位置にあるドアＤの重量を考慮するように設計される。
【００１９】
ここに開示する好適実施例のカウンタバランスシステム１０は、各ケーブルドラムメカニズム３０に連結される引張コイルバネ組立体６０を有する。各ケーブルドラム３５に連結される引張コイルバネ組立体が同一であることから、図１の右側部分を切り取った図２の引張コイルバネ組立体６０のみについて詳細に説明する。図１に最もよく示されるように、引張コイルバネ組立体６０は、ケーブルドラム３５と、軌道Ｔも支持する後方天井サポート６１との間にほぼ一直線上に配列される。引張コイルバネ組立体６０は、産業界で共通的に使用されるタイプの在来の引張コイルバネ６２を使用する。輪付きボルト６３が引張コイルバネ６２の一端に取り付けられる。輪付きボルト６３は、輪付きボルト６３にネジ止めされるナット６４によって後方天井サポート６１に取り付けられる。これにより、引張コイルバネ６２の後端が後方天井サポート６１に固定される。輪付きボルト６３の反対側の引張コイルバネ６２の前端は、ここに永久的に取り付けられた二股の滑車取付具６５を有する。二股の滑車取付具６５は、ボルト６７の形態にある枢軸上に滑車６６を取り付ける。
【００２０】
引張コイルバネ６２が緊張したときに引張コイルバネ６２やこれに取り付けられる構成成分が壊れた場合に、人や物がダメージを受け得ることを防止するため、在来の緩衝器（又はスナバ（ｓｎｕｂｂｅｒ））組立体７０が与えられる。緩衝器組立体７０は、緩衝器ケーブル７１を含み、この緩衝器ケーブル７１は、引張コイルバネ６２を通じ、緩衝器ケーブル７１の一端は、後方天井サポート６１に固定され、緩衝器ケーブル７１の他端は、引張コイルバネ６２の軸線とほぼ一直線に並ぶ位置にあって、フレーム１２に固定される。緩衝器ケーブル７１は、クリップ７２と、このクリップ１２を通じてフレーム１２内に伸びるラッグ木ネジ７３とによってフレーム１２に取り付けられ得る。
【００２１】
引張コイルバネ組立体６０は、カウンタバランスケーブル７５によってドアＤと相互に連結される。カウンタバランスケーブル７５は、産業界で共通的に使用される構造のものでよく、在来の慣用手段に従って、ドアの低部セクジョン１７の低部ブラケット７６に固定される第一の端部を有する。ケーブル７５の第二の端部は、図２でよく理解できるように、水平アングル材２５に取り付けられ得るＳ字形のフック７８を受け入れるクリップ７７に固定される。カウンタバランスケーブル７５は、クリップ７７からドアＤの後方に向かい、引張コイルバネ６２に取り付けた滑車６６に沿って巻かれ、ドアＤへと前方へ再び向かう。特に、ケーブルは、図２及び３に示すように、滑車６６から前方へ向かい、ドアＤの低部ブラケット７６の取付点へと下方へ向けられる前に、在来の滑車ではなく、ケーブルドラム３５と係合する。
【００２２】
図２及び３からわかるように、カウンタバランスケーブル７５は、滑車６６から延び、ケーブルドラム３５の上端に係合し、ケーブルドラム３５を完全に１周し、さらに付加的に約９０度巻き付けられ、その後、ケーブルは、接線方向下向きに延び、図示のように閉位置にあるドアの低部ブラケット７６に取り付けられる。ドアＤの完全な開位置では、カウンタバランスケーブル７５は、例えば、完全な１周巻きを越えて約１３５度のオーダーというやや大きい周囲範囲を通じてケーブルドラム３５に係合し得る。カウンタバランスケーブル７５がドアＤの作動サイクル中のいかなるときにもケーブルドラム３５上をスリップしないように、引張コイルバネ６２及び螺旋溝５１の径が、開位置と閉位置との間を移動するときの任意の点におけるドアＤの有効重量に関係し、張力を適用することは、ドアＤの作動にとって重要なことである。スリップを前もって防ぐため、ケーブルドラム３５の螺旋溝５１とカウンタバランスケーブル７５との間に適当な摩擦抵抗を与える必要がある場合、カウンタバランスケーブル７５は、滑車６６からのカウンタバランスケーブル７５の入り場所と、ドアＤへと出る場所との間でケーブルドラム３５の周りを完全に２周以上巻かれ得る。
【００２３】
一旦、組み立てられ、適当な引張コイルバネ６２とケーブルドラム３５の形状とに調節されると、ドアＤは、作動パラメータを向上する。理解されるように、外側アレイ５３の螺旋溝５１の大きい谷径５２は、引張コイルバネ６２の線形的な張力の作用を低減して、ドアＤが完全に閉まり、その垂直な閉位置を維持するように、閉じた状態からの最後の１８〜２４インチの間のドアＤの移動の制御を増大させる。内側アレイ５４の螺旋溝５１の径は、水平な開位置に到達する前の最後の１２〜１８インチのドアの移動において、バネ６２に対して作動する残りのドアの重量が最小化されて、完全な開位置に到達する上でのドアＤの迅速な安定した位置決めができるように、選択される。中間アレイ５５の螺旋溝５１の谷径５２は、外側アレイ５３と内側アレイ５４の螺旋溝５１の間で通常実質的に線形的に変化し、引張コイルバネ６２の張力の線形的な変化を適応させる実質的に線形的な張力領域を与えて、ドアＤの中間の移動を滑らかにする。フレーム１２によって確立される開口の外にドアＤを上向きに移動させる手助けをし、ケーブルドラム３５の螺旋溝５１上のカウンタバランスケーブル７５のスリップを防止する、増大されたバネ張力を有するバネの使用を、螺旋溝５１の三つのアレイ５３、５４、５５が許す。
【００２４】
よって、ここに開示したカウンタバランスシステムが、上記した本発明の一つ又はそれ以上の目的を実施し、従来技術への利点的な寄与物を構成する。当業者には明らかなように、変更物が、本発明の精神を逸脱せずに、ここに開示した好適実施例になされ、本発明の範囲は、特許請求の範囲の範囲によってのみ限定される。
【図面の簡単な説明】
【図１】
図１は、本発明の原理に従ったカウンタバランスシステムを有するセクショナルドアの内部斜視図であり、垂直な閉位置と水平な開位置との間でドアの移動を制御するように、引張コイルバネと作動するケーブルドラムを有する。
【図２】
図２は、図１に示すドアの右側のケーブルドラムを示す部分拡大斜視図であり、ケーブルと、引張コイルバネと、ケーブルドラムメカニズムとの間の相互関係を詳細に示す。
【図３】
図３は、図１のドアの右側の平面図であり、垂直な閉位置にあるドアのカウンタバランスケーブルと、ケーブルドラムとの間の相互関係を示す。
【図４】
図４は、図１のドアの左側のケーブルドラムの部分拡大斜視図であり、ケーブルドラムと駆動チューブの取付と保持を示す。
【図１】
2004520510.tif 000003
【図２】
2004520510.tif 000004
【図３】
2004520510.tif 000005
【図４】
2004520510.tif 000006
【国際公開パンフレット】
2004520510.tif 000007
2004520510.tif 000008
2004520510.tif 000009
2004520510.tif 000010
2004520510.tif 000011
2004520510.tif 000012
2004520510.tif 000013
2004520510.tif 000014
2004520510.tif 000015
2004520510.tif 000016
2004520510.tif 000017
2004520510.tif 000018
2004520510.tif 000019
2004520510.tif 000020
2004520510.tif 000021
2004520510.tif 000022
2004520510.tif 000023
2004520510.tif 000024
2004520510.tif 000025
【国際調査報告】
2004520510.tif 000026
2004520510.tif 000027